(57)【要約】【課題】操作部材の消火操作の際の操作感を軽くして使い勝手を良好とする。【解決手段】操作部材の押し込み操作の繰り返しによって前後カムの位置を前後させるカム機構部において、前カムの前カム溝５４には、前カムが燃焼位置から消火押切位置まで後退する際に、前レバーピン４５が相対移動する前消火押し込み経路６２が形成されて、前消火押し込み経路６２の始端を含む上流側の底面（前直線部５７）には、下流側へ行くに従って徐々に深くなる下り勾配が付与されている。【選択図】図６
2019044985.tif 000002
【特許請求の範囲】
【請求項１】
バーナを備えた器体内に、
前側の操作部材と、
前記バーナへのガス流路を開閉する弁軸を備えた後側の流路開閉部と、
前記操作部材と前記流路開閉部との間で前後移動可能で、カム溝を備えたカムと、前記カム溝に挿入されて前記カムの前後移動に応じて前記カム溝に沿って相対移動する案内部材と、を含み、前記操作部材の押し込み操作の繰り返しにより、前記カムの前後位置を、消火位置と、その後方の点火押切位置と、その前方の燃焼位置と、その後方の消火押切位置との順番にそれぞれ変更させるカム機構部と、
が設けられたガス調理器具であって、
前記カム溝には、前記カムが前記燃焼位置から前記消火押切位置まで後退する際に、前記案内部材が相対移動する消火押し込み経路が形成されて、前記消火押し込み経路の少なくとも始端を含む底面には、下流側へ行くに従って徐々に深くなる下り勾配が付与されていることを特徴とするガス調理器具。
【請求項２】
前記カム溝は、前記消火押し込み経路の始端からその中間部位に至る直線状の直線部と、前記中間部位から、前記消火押切位置、前記消火位置、前記点火押切位置を経て前記中間部位に戻る平面視ハート形状の循環部とを有して、前記カムが前記点火押切位置から前記燃焼位置まで前進する際に、前記案内部材が相対移動する点火戻り経路が形成されて、前記消火押し込み経路における前記直線部と前記循環部とに跨がる屈曲部分の角度は、前記点火戻り経路における前記直線部と前記循環部とに跨がる屈曲部分の角度よりも大きいことを特徴とする請求項１に記載のガス調理器具。
【請求項３】
前記消火押し込み経路の底面は、前記中間部位が最深部となり、そこから終端へ行くに従って徐々に浅くなる上り勾配が付与されて、前記最深部で前記点火戻り経路と合流していることを特徴とする請求項１又は２に記載のガス調理器具。
【発明の詳細な説明】
【技術分野】
【０００１】
本発明は、コンロ等のガス調理器具に関する。
【背景技術】
【０００２】
コンロ等のガス調理器具においては、ガスバーナを被調理物の加熱手段として備えると共に、器体の前面に設けた点消火ボタン（操作部材）の押し操作によってガスバーナの点消火動作が可能となるプッシュスイッチ機構を設けたものが知られている。このプッシュスイッチ機構は、例えば特許文献１に開示されるように、点消火ボタンの押し操作の繰り返しにより、ガス流路を開閉する弁体を備えた弁軸を、ハートカム機構を介して軸方向に進退運動させるもので、ここではハートカム機構として、係止ピンが係止するカム溝を備えた前後２つのカム（スライダ及び中継スライダ）をケース内に収容してコイルバネでそれぞれ前側へ付勢して、点消火ボタンを消火位置から点火押切位置まで押し操作すると、前側のカムを介して後側のカムが基板スイッチ等のスイッチをＯＮ動作させて弁軸を開弁位置に押し込み、ここから点消火ボタンから手を離すと、前後のカムが係止ピンによってそれぞれ適正な燃焼位置に保持される。また、燃焼位置から点消火ボタンを消火押切位置まで押し操作すると、前側のカムが後側のカムを押し込んで係止ピンによる保持を解除させ、前後のカムが消火位置に復帰するようになっている。
【先行技術文献】
【特許文献】
【０００３】
【特許文献１】特開２０１７−３１６４号公報
【発明の概要】
【発明が解決しようとする課題】
【０００４】
ガス調理器具のプッシュスイッチ機構は、安全性を考慮して、なるべく軽い操作感で操作部材を燃焼位置から消火位置まで押し込み操作ができるのが望ましい。
しかし、上記特許文献１のようなプッシュスイッチ機構においては、係止ピンがカムのカム溝の底面を摺動するため、操作感が重くなりやすい。特に、消火操作の初期段階では、静止状態から２つのカムを押し込むことになるため、最も大きな押し込み力が必要となって操作感が悪くなってしまう。
【０００５】
そこで、本発明は、操作部材の消火操作の際の操作感を軽くして使い勝手が良好となるガス調理器具を提供することを目的としたものである。
【課題を解決するための手段】
【０００６】
上記目的を達成するために、請求項１に記載の発明は、バーナを備えた器体内に、
前側の操作部材と、
バーナへのガス流路を開閉する弁軸を備えた後側の流路開閉部と、
操作部材と流路開閉部との間で前後移動可能で、カム溝を備えたカムと、カム溝に挿入されてカムの前後移動に応じてカム溝に沿って相対移動する案内部材と、を含み、操作部材の押し込み操作の繰り返しにより、カムの前後位置を、消火位置と、その後方の点火押切位置と、その前方の燃焼位置と、その後方の消火押切位置との順番にそれぞれ変更させるカム機構部と、が設けられたガス調理器具であって、
カム溝には、カムが燃焼位置から消火押切位置まで後退する際に、案内部材が相対移動する消火押し込み経路が形成されて、消火押し込み経路の少なくとも始端を含む底面には、下流側へ行くに従って徐々に深くなる下り勾配が付与されていることを特徴とする。
請求項２に記載の発明は、請求項１の構成において、カム溝は、消火押し込み経路の始端からその中間部位に至る直線状の直線部と、中間部位から、消火押切位置、消火位置、点火押切位置を経て中間部位に戻る平面視ハート形状の循環部とを有して、カムが点火押切位置から燃焼位置まで前進する際に、案内部材が相対移動する点火戻り経路が形成されて、消火押し込み経路における直線部と循環部とに跨がる屈曲部分の角度は、点火戻り経路における直線部と循環部とに跨がる屈曲部分の角度よりも大きいことを特徴とする。
請求項３に記載の発明は、請求項１又は２の構成において、消火押し込み経路の底面は、中間部位が最深部となり、そこから終端へ行くに従って徐々に浅くなる上り勾配が付与されて、最深部で点火戻り経路と合流していることを特徴とする。
【発明の効果】
【０００７】
請求項１に記載の発明によれば、カム溝において、少なくとも消火押し込み経路の始端を含む上流側の底面に、下流側へ行くに従って徐々に深くなる下り勾配を付与したことで、操作部材の消火操作時に案内部材が消火押し込み経路を相対移動する際の摺動抵抗が低減される。よって、消火操作の際の操作感が軽くなって使い勝手が良好となる。
請求項２に記載の発明によれば、請求項１の効果に加えて、消火押し込み経路における直線部と循環部とに跨がる屈曲部分の角度を、点火戻り経路における直線部と循環部とに跨がる屈曲部分の角度よりも大きくしているので、案内部材が直線的に相対移動でき、消火操作時の操作感を一層軽くすることができる。
請求項３に記載の発明によれば、請求項１又は２の効果に加えて、消火押し込み経路の底面を、中間部位が最深部となり、そこから終端へ行くに従って徐々に浅くなる上り勾配を付与したものとして、中間部位で点火戻り経路と合流させているので、中間部位との間に段部を確実に形成でき、点火戻り経路の傾斜を浅くすることができる。よって、点火戻り経路内での案内部材の突っかかりを好適に防止可能となる。
【図面の簡単な説明】
【０００８】
【図１】ビルトインコンロの斜視図である。
【図２】プッシュスイッチ機構の側面図である。
【図３】カム機構部の分解斜視図である。
【図４】前カムの説明図で、（Ａ）は背面、（Ｂ）（Ｃ）はそれぞれ斜視を示す。
【図５】後カムの説明図で、（Ａ）は背面、（Ｂ）（Ｃ）はそれぞれ斜視を示す。
【図６】（Ａ）は前カム溝での前レバーピンの移動軌跡及び前消火押し込み経路の底面の説明図、（Ｂ）は後カム溝での後レバーピンの移動軌跡及び後点火押し込み経路の底面の説明図である。
【図７】消火位置のプッシュスイッチ機構の説明図で、（Ａ）が側面、（Ｂ）が底面をそれぞれ示す。
【図８】点火押切位置のプッシュスイッチ機構の説明図で、（Ａ）が側面、（Ｂ）が底面をそれぞれ示す。
【図９】燃焼位置のプッシュスイッチ機構の説明図で、（Ａ）が側面、（Ｂ）が底面をそれぞれ示す。
【図１０】消火押切位置のプッシュスイッチ機構の説明図で、（Ａ）が側面、（Ｂ）が底面をそれぞれ示す。
【発明を実施するための形態】
【０００９】
以下、本発明の実施の形態を図面に基づいて説明する。
図１は、ガス調理器具の一例であるビルトインコンロの斜視図である。このビルトインコンロ１は、平面視が横長矩形状の器体２内に、前側（図１の左下側）で左右に２つ、その間で後側に１つの３つのコンロ部３，３・・と、前側の２つのコンロ部３，３の間に位置するグリル部４とを備えてなる。
器体２は、前面及び上面を開口した本体５と、本体５の前面に取り付けられる前枠６と、前枠６の下側に取り付けられるフロントパネル７と、本体５の上面の開口に取り付けられる天板８とからなる。器体２の上面の開口には、天板８の下方でキッチンのキャビネットに係止するフランジ９が周設されている。各コンロ部３は、天板８から上方に露出して上面にバーナヘッド１１を載置したコンロバーナ１０と、その周囲に位置する五徳１２とを備えている。１３は、グリル部４の排気キャップである。
【００１０】
フロントパネル７の中央には、グリル扉１４が設けられ、その左右には、コンロバーナ１０やグリルバーナを点消火操作するための操作部材としての点消火ボタン１５，１５・・と、タイマー調理等の設定を行うための開閉式の操作パネル１６とが設けられている。点消火ボタン１５は、器体２内に収容したプッシュスイッチ機構の前端に備えられて、点消火ボタン１５の押し込み操作の繰り返しにより、各バーナの点消火動作が可能となっている。
以下、コンロ部３のプッシュスイッチ機構について詳述する。
【００１１】
［プッシュスイッチ機構］
図２は、プッシュスイッチ機構２０の側面図、図３はカム機構部２１の分解斜視図である。このプッシュスイッチ機構２０は、カム機構部２１と、カム機構部２１の後方に取り付けられる流路開閉部２２と、流路開閉部２２の上部に固定される火力調整部２３とを備えてなる。流路開閉部２２の上流側には、器体２内の図示しないガスパイプが接続され、火力調整部２３の下流側には、コンロバーナ１０に至る図示しないガスパイプが接続される。点消火ボタン１５は、カム機構部２１の前端に設けられている。なお、このプッシュスイッチ機構２０は、器体２内では図２のように火力調整部２３が上となる姿勢で前後方向に設置されるが、図３では、カム機構部２１の説明の便宜上、上下を逆にして示している。
【００１２】
まず、カム機構部２１は、メカボックス２４と、メカボックス２４内に収容された前カム２５及び後カム２６とを備える。メカボックス２４は、横断面がＵ字状で下面及び前面を開口させたボックス本体２７と、ボックス本体２７の下面を閉塞するカバー２８とからなり、ボックス本体２７の左右の側面には、基板スイッチ２９とイグナイタスイッチ３０とが、レバー２９ａ，３０ａをそれぞれ下側且つ後向きとした姿勢でネジ止めされている。ボックス本体２７の前後方向中央には、透孔３２を有する仕切板３１が形成され、その後側の左右には、一対の切欠窓３３，３３が形成されて、左右の側面下部には、複数の係止突起３４，３４・・が前後方向へ所定間隔をおいて突設されている。ボックス本体２７の後端は、左右に張り出す閉塞板３５で閉塞されて、閉塞板３５の中央部位には、透孔３６が形成され、その周囲にリング状突起３７が形成されている。閉塞板３５の下部後側には、後ピン受け部３８が突設されて、後ピン受け部３８には、後案内部材としての倒コ字状の後レバーピン３９の後端が、抑えバネ４０により保持されている。よって、後レバーピン３９は、後端を中心に左右へ揺動可能となる。ボックス本体２７の前端内側には、左右にストッパ４１，４１が設けられ、前端の円弧状の上面には、同じ円弧状の突条４２，４２が前後に所定間隔をおいて設けられている。
【００１３】
カバー２８は、ボックス本体２７の下面から左右の側面下部に掛けて覆う横断面倒コ字状で、左右の折り返し部には、係止突起３４，３４・・が係止する角孔４３，４３・・が形成されて、前端中央には、前ピン受け部４４が突設されている。この前ピン受け部４４には、前案内部材としての倒コ字状の前レバーピン４５の前端が、抑えバネ４６により保持されている。よって、前レバーピン４５は、前端を中心に左右へ揺動可能となる。また、カバー２８の下面には、後レバーピン３９の前端が挿入し、後端を中心とした円弧状の後長孔４７と、前レバーピン４５の後端が挿入し、前端を中心とした円弧状の前長孔４８とが左右方向に形成されている。
【００１４】
前カム２５は、上部外形がボックス本体２７に嵌合する横断面Ｕ字状のブロック体で、図４にも示すように、前面には、点消火ボタン１５が連結される連結ロッド５０が前向きに連結され、後面には、後カム２６を押圧する前側ロッド５１が後向きに突設されている。前カム２５の前側の左右両側面は二面幅に形成されて、その後部左右には、ボックス本体２７のストッパ４１，４１に後方から係止する係止面５２，５２が形成されている。
また、前カム２５の下部には、前カム溝５４を形成した板状のカム板部５３が後向きに形成されて、カム板部５３の前側には、下面及び前面が開放する凹部５５が形成されている。この前カム溝５４は、尖端を後側に向けて左側が右側よりも前方へ長くなる平面視ハート形状の前循環部５６と、前循環部５６の尖端から後方へ延びる前直線部５７とからなる有底溝となっている。この前カム溝５４に、前長孔４８を貫通した前レバーピン４５の後端が挿入して、後述するように前カム２５の進退動に伴い前カム溝５４内を相対移動するようになっている。
さらに、前カム２５の外周面には、Ｕ字状の上面と、カム板部５３に沿った左右の側面と下面とに、複数のガイド突起５８，５８・・が前後方向に突設されている。
【００１５】
ここで、前カム溝５４は、図６（Ａ）にも示すように、前循環部５６の前側中央を始端として斜め前方に延び、前循環部５６の左側前端を終端とする前点火押し込み経路６０と、前点火押し込み経路６０の終端を始端として前循環部５６の左側を直線状に後退した後、中央側へ屈曲し、前循環部５６の後端を経て前直線部５７に入り、その後端を終端とする前点火戻り経路６１と、前点火戻り経路６１の終端を始端として前方に延び、前直線部５７の前端を経て右側へ屈曲した後、前循環部５６の右側を直線状に前進し、前循環部５６の右側前端を終端とする前消火押し込み経路６２と、前消火押し込み経路６２の終端を始端として斜め後方に延び、前循環部５６の前側中央（前点火押し込み経路６０の始端）を終端とする前消火戻り経路６３とを有している。
前点火押し込み経路６０の底面は、始端から終端に向けて上り傾斜しており、前点火押し込み経路６０の終端の手前には、当該終端が一段低くなる段部６０ａが形成されている。
前点火戻り経路６１の底面は、前循環部５６の後端の手前まで僅かに上り傾斜しており、当該後端の手前には、当該後端が一段低くなる段部６１ａが形成されて、前循環部５６の後端（前直線部５７の前端）は、平坦な最深部６４となっている。最深部６４から前直線部５７の後端までは、当該後端に向けて上り傾斜している。なお、前カム溝５４の底面の勾配（上り下り方向）については、図２，３の上下方向でなく、図６のように前カム溝５４のみを上方から見た場合で説明している。これは後述する後カム溝７４についても同様である。
【００１６】
「前消火押し込み経路」
前消火押し込み経路６２の底面は、同図下側に示すように、始端から前直線部５７を下り傾斜して、中間部位である最深部６４に至り、最深部６４から終端に至る前循環部５６の右側部分６５では、前端に向けて上り傾斜している。当該前端の手前には、当該前端が一段低くなる段部６２ａが形成されている。
前消火戻り経路６３の底面は、始端から終端に向けて上り傾斜しており、当該終端の手前には、終端が一段低くなる段部６３ａが形成されている。
このように各経路の終端手前或いは経路の合流部分の手前に段部６０ａ，６１ａ，６２ａ，６３ａを形成したことで、前カム溝５４内の前レバーピン４５は、前点火押し込み経路６０、前点火戻り経路６１、前消火押し込み経路６２、前消火戻り経路６３の順に一方通行で相対移動することになる。
そして、ここでは、前消火押し込み経路６２を形成する前循環部５６の右側部分６５と前直線部５７とがなす屈曲部分の角度αが、前点火戻り経路６１を形成する前循環部５６の左側部分と前直線部５７とがなす屈曲部分の角度βよりも大きくなっている。すなわち、前消火押し込み経路６２の方が前点火戻り経路６１よりも前直線部５７に対する屈曲角度が小さくなって直線に近い形状となっている。
【００１７】
後カム２６も、図５に示すように、上部外形がボックス本体に嵌合する横断面Ｕ字状のブロック体で、後面には、流路開閉部２２の後述する弁軸９４を押圧する後側ロッド７０が後向きに突設されている。また、左右の両側面には、左アーム７１と右アーム７２とがそれぞれ突設されている。左アーム７１は、後カム２６の後退に伴って基板スイッチ２９のレバー２９ａを、右アーム７２は、後カム２６の後退に伴ってイグナイタスイッチ３０のレバー３０ａをそれぞれ押し込むもので、ここでは左アーム７１の方が右アーム７２よりも後方へ長く形成されて、基板スイッチ２９をＯＮさせるタイミングをイグナイタスイッチ３０をＯＮさせるタイミングよりも早く設定している。
【００１８】
さらに、後カム２６の下部には、前カム２５のカム板部５３が進入可能な逃げ凹部７３が前後方向に形成されており、逃げ凹部７３の底面に、後カム溝７４が形成されている。この後カム溝７４は、尖端を後側に向けて右側が左側よりも前方へ長くなる平面視ハート形状の後循環部７５と、後循環部７５の尖端から後方へ延びる後直線部７６とからなる有底溝となっている。この後カム溝７４に、後長孔４７を貫通した後レバーピン３９の前端が挿入して、後述するように後カム２６の進退動に伴い後カム溝７４内を相対移動するようになっている。
そして、後カム２６の外周面にも、Ｕ字状の上面と、左右アーム７１，７２を除く左右の側面とに、複数のガイド突起７７，７７・・が前後方向に突設されている。
【００１９】
後カム溝７４も、図６（Ｂ）に示すように、後直線部７６の後端を始端として前方に延び、後循環部７５の後端を経て後循環部７５の右側を前進し、後循環部７５の右側前端を終端とする後点火押し込み経路８０と、後点火押し込み経路８０の終端を始端として斜め後方に延び、後循環部７５の前側中央を終端とする後点火戻り経路８１と、後点火戻り経路８１の終端を始端として斜め前方に延び、後循環部７５の左側前端を終端とする後消火押し込み経路８２と、後消火押し込み経路８２の終端を始端として後循環部７５の左側を後退し、後循環部７５の後端を経て後直線部７６に入り、その後端を終端とする後消火戻り経路８３とを有している。
【００２０】
「後点火押し込み経路」
後点火押し込み経路８０の底面は、同図下側に示すように、始端から後直線部７６、後循環部７５の後端から後循環部７５右側の傾斜部分８４までは平坦となっており、傾斜部分８４から前方へ延びる直線部分８５は、終端に向けて上り傾斜している。当該終端の手前には、当該終端が一段低くなる段部８０ａが形成されている。
後点火戻り経路８１の底面は、始端から終端に向けて上り傾斜しており、当該後端の手前には、当該後端が一段低くなる段部８１ａが形成されている。
【００２１】
後消火押し込み経路８２の底面は、終端の手前まで平坦となっており、当該終端の手前には、当該終端が一段低くなる段部８２ａが形成されている。
後消火戻り経路８３の底面は、始端から後循環部７５の中間部（直線部分）までは平坦となっており、当該中間部から後循環部７５の後端に向けて上り傾斜している。当該終端の手前には、当該後端が一段低くなる段部８３ａが形成されている。後直線部７６から終端までは平坦である。
このように各経路の終端手前或いは経路の合流部分の手前に、段部８０ａ，８１ａ，８２ａ，８３ａを形成したことで、後カム溝７４内の後レバーピン３９は、後点火押し込み経路８０、後点火戻り経路８１、後消火押し込み経路８２、後消火戻り経路８３の順に一方通行で相対移動することになる。
【００２２】
ここでは前カム２５が、仕切板３１の前側でボックス本体２７に収容されて、前カム２５と仕切板３１との間には、前カム２５の前側ロッド５１が挿入する前コイルバネ９０が設けられる。よって、前カム２５は、係止面５２，５２がボックス本体２７のストッパ４１，４１に当接する前方位置と、カム板部５３を除く後面が仕切板３１に当接する後方位置との間で前後移動可能となる。
また、後カム２６は、仕切板３１の後側でボックス本体２７に収容されて、後カム２６とボックス本体２７の閉塞板３５との間には、後カム２６の後側ロッド７０が挿入する後コイルバネ９１が設けられる。後コイルバネ９１は、閉塞板３５の前面でリング状突起３７に後端が嵌合して保持される。よって、後カム２６は、前面が仕切板３１に当接する前方位置と、後側ロッド７０が弁軸９４を押し込んで後面がリング状突起３７に近接する後方位置との間で前後移動可能となる。
【００２３】
この状態でカバー２８をボックス本体２７に被せて下面を閉塞し、前レバーピン４５の後端を前長孔４８を介して前カム２５の前カム溝５４に挿入させ、後レバーピン３９の前端を後長孔４７を介して後カム２６の後カム溝７４に挿入させる。前カム２５及び後カム２６は、前コイルバネ９０と後コイルバネ９１とによってそれぞれ前方位置へ付勢されるが、後述するように、前レバーピン４５による前カム溝５４への係止と、後レバーピン３９による後カム溝７４への係止と、ボックス本体２７内の仕切板３１又はストッパ４１との当接と、弁軸９４との当接により、それぞれメカボックス２４内で前後位置を変更することになる。このとき前カム２５では、メカボックス２４の内面に対して異なる摺動面となる上下面及び左右の側面に設けられたガイド突起５８，５８・・が、メカボックス２４の内面に当接する。後カム２６も、メカボックス２４の内面に対して異なる摺動面となる上面及び左右の側面に設けられたガイド突起７７，７７・・が、メカボックス２４の内面に当接する。
後カム２６の左右アーム７１，７２は、ボックス本体２７の切欠窓３３，３３を介してそれぞれ左右外方へ突出して、後カム２６の進退動に伴い、基板スイッチ２９及びイグナイタスイッチ３０をＯＮ／ＯＦＦさせることになる。
【００２４】
流路開閉部２２は、下側にガス入口９２を有して内部にガス流路が形成される筒状体で、後端には、ガス流路の上流側を開閉するマグネット電磁弁９３が設けられて、ガス流路内には、ガス流路の下流側を開閉するメイン弁９５（図２）を備えた弁軸９４が進退動可能に収容されている。但し、弁軸９４は、前方へ閉弁付勢されるマグネット電磁弁９３によって、常態ではメイン弁９５を閉弁する前進位置に付勢されている。流路開閉部２２の前端には、弁軸９４が突出する取付フランジ９６が延設されて、ボックス本体２７の閉塞板３５に取付フランジ９６をネジ止めすることで、閉塞板３５の透孔３６と取付フランジ９６の開口９７とが同軸で連通して、弁軸９４がボックス本体２７内に突出可能となっている。
【００２５】
火力調整部２３は、流路開閉部２２のガス流路の出口と連通するガス流路を内部に有して前後方向に延び、前方上側に、コンロバーナ１０へ繋がるガスパイプが接続されるガス出口１００が形成されている。火力調整部２３の上流側には、ガス流路を開閉する切替電磁弁１０１が設けられ、下流側でガス出口１００より上流側には、軸方向への移動によってガス流路の開口面積を変更する火力調節ニードル１０２が設けられている。この火力調節ニードル１０２の前端には、ガイドピン１０３が上下方向に貫通し、このガイドピン１０３の上端が、火力調整部２３の前端に設けたガイド板１０４の前後方向の長孔を貫通することで、火力調節ニードル１０２の回転が規制されている。
【００２６】
メカボックス２４のボックス本体２７の上面には、火力調整板１０５が設けられている。この火力調整板１０５は、ボックス本体２７の上面形状に合致する円弧状の底面を有して前後方向に延び、後部の上面には、ガイドピン１０３の下端が遊挿する螺旋溝１０６が形成され、下面には、ボックス本体２７の突条４２，４２が嵌合する図示しない前後２つの凹溝が形成されている。火力調整板１０５の後端は、ボックス本体２７に組み付けられる押さえ板１０７によって、ボックス本体２７上で摺動可能に保持される。
また、火力調整板１０５の中間部分は、周方向の幅が前側へ向けて小さくなるテーパ部１０８（図８，９）に形成されて、前部は後部よりも幅狭となっている。前部の下面には、周方向に複数の歯１０９，１０９が形成されている。
【００２７】
点消火ボタン１５は、正面視が円形状で、前カム２５の連結ロッド５０へ回転可能に外装された中間筒１１０の前端に連結されることで、中間筒１１０を介して前カム２５と一体に前後移動可能且つ別体で回転可能に連結される。中間筒１１０の後端には、後述する燃焼位置で火力調整板１０５の歯１０９，１０９が噛合する歯部１１１（図９）が周設されている。
また、中間軸１１０の後方で連結ロッド５０には、中間筒１１０の後端を受ける回り止め部材１１２が設けられている。この回り止め部材１１２は、連結ロッド５０に回転規制された状態で外装されるリング状で、上側に形成した円弧状空間に、火力調整板１０５の前端が遊挿することで、円弧状空間の両端に火力調整板１０５の前端が当接する範囲で点消火ボタン１５の回転角度が規制される。さらに、点消火ボタン１５を点火操作する際に、弱火又は強火位置にある火力調整板１０５のテーパ部１０８は、円弧状空間の両端の何れかに当接するようになっており、回り止め部材１１２との干渉により、火力調整板１０５は、円弧状空間の中央に位置する中火位置に常にガイドされることになる。
【００２８】
［プッシュスイッチ機構における点消火動作］
以上の如く構成されたビルトインコンロ１のコンロ部３におけるプッシュスイッチ機構２０において、点火から消火に至る動作を、図７〜図１０に基づいて説明する。なお、各図（Ａ）は図２と同じ上下の側面を示し、各図（Ｂ）は底面を示すと共に、カバー２８を省略して後長孔４７及び前長孔４８のみを仮想線で示している。グリル部４におけるプッシュスイッチ機構２０の動作も、上下バーナでそれぞれ設定される火力調整部の構成を除いてコンロ部３と同じである。
まず、点消火ボタン１５を操作しない状態では、図７に示すように、前カム２５は、前レバーピン４５の後端が前長孔４８を介して前カム溝５４の前循環部５６の前側中央（前点火押し込み経路６０の始端（図６（Ａ）の位置Ａ））に係止することで、前コイルバネ９０の付勢に抗して前方位置よりやや後方（初期位置）にある。後カム２６は、後コイルバネ９１の付勢により、仕切板３１に当接する前方位置にある。このとき、後レバーピン３９の前端は、後長孔４７を介して後カム溝７４の後直線部７６内にあるが、後点火押し込み経路８０の始端には位置せず、始端よりも前側（図６（Ｂ）の位置Ａ）に位置している。
【００２９】
この状態で、前カム２５と前後動が一体の点消火ボタン１５は、前面が器体２の前面（ここではフロントパネル７の前面で、ラインＬで示す。）よりやや突出してラインＬに沿った位置にある。ここでは前カム２５のカム板部５３が仕切板３１より後方へ突出しているが、後カム２６には逃げ凹部７３が形成されているため、後カム２６とは干渉せず、カム板部５３は逃げ凹部７３の底面に重合している。
また、この状態で、後カム２６の後側ロッド７０は、流路開閉部２２の弁軸９４から前方へ離間しているので、弁軸９４は前進位置にあってマグネット電磁弁９３及びメイン弁９５は閉弁状態にある（消火位置）。また、後カム２６の左右アーム７１，７２も基板スイッチ２９及びイグナイタスイッチ３０の各レバー２９ａ，３０ａから前方へ離間している。
【００３０】
ここから点消火ボタン１５を押し込むと、図８に示すように、後退した前カム２５の前側ロッド５１が仕切板３１の透孔３２を貫通して後カム２６に当接し、後カム２６を後コイルバネ９１の付勢に抗して後退させる。そして、後退した後カム２６の後側ロッド７０が弁軸９４に当接して弁軸９４を後退させてメイン弁９５を開弁させ、後退した弁軸９４がマグネット電磁弁９３を強制的に開弁させた状態で押し込みが規制される（点火押切位置）。このとき、前レバーピン４５の後端は、前カム２５が後カム２６に当接した時点では前循環部５６の前点火押し込み経路６０の途中（図６（Ａ）の二点鎖線で示す位置Ａ’）にあり、そこから前カム２５の後退につれて前点火押し込み経路６０内を移動して段部６０ａを越え（図６（Ａ）の二点鎖線で示す位置Ａ”）、前点火押し込み経路６０の終端に達するが、前循環部５６の左側前端には係止せず、やや後側（図６（Ａ）の位置Ｂ）に位置している。
【００３１】
一方、後レバーピン３９の前端は、後カム２６の後退と共に後循環部７５の後点火押し込み経路８０を移動して段部８０ａを越え（図６（Ｂ）の二点鎖線で示す位置Ａ’）、後点火押し込み経路８０の終端に達するが、後循環部７５の右側前端には係止せず、やや後側（図６（Ｂ）の位置Ｂ）に位置している。
このように、後レバーピン３９は、位置Ａから位置Ｂまで後カム溝７４に係止しないため、ヨレは生じない。また、後直線部７６から後循環部７５の傾斜部分８４までは平坦面を通過するので、点火操作時の後レバーピン３９の突っかかりが生じにくくなり、操作感が重くならない。さらに、傾斜部分８４を平坦面としても、直線部分８５では上り勾配となっているので、段部８０ａを形成するための厚みは確保できる。
【００３２】
「消火位置から点火押切位置への前後レバーピンのストローク設定」
こうして点消火ボタン１５が点火押切位置に押し込まれる際、前カム２５の前側ロッド５１が後カム２６に当接するまで前カム２５が両カム２５，２６間の遊び分後退することで、前レバーピン４５の後端が位置Ａから当該遊び分前方へ移動した位置をＡ’として、位置Ａ’から点火時前側段部としての段部６０ａを越えた時点である位置Ａ”まで移動した場合の前後方向での前側ストローク（前レバーピン４５の中心間の移動距離）をＳ１とする。
一方、後レバーピン３９が位置Ａから、点火時後側段部としての段部８０ａを越えた時点である位置Ａ’へ移動した場合の前後方向での後側ストローク（後レバーピン３９の中心間の移動距離）をＳ２とすると、両ストロークの関係は、Ｓ１＜Ｓ２となっている。つまり、消火位置から点火押切位置へ押し込まれる際には、前点火押し込み経路６０を移動する前レバーピン４５が、後点火押し込み経路８０を移動する後レバーピン３９が段部８０ａを越えるタイミングよりも先に段部６０ａを越えることになる。
【００３３】
逆に言うと、前レバーピン４５が段部６０ａを越えない限り、後レバーピン３９も確実に段部８０ａを越えないことになるため、前レバーピン４５が段部６０ａを越える前の中途半端な位置で点消火ボタン１５から手を離して点火操作をやめた場合には、前後カム２５，２６はいずれも消火位置まで戻ることになる。よって、前カム２５側で前レバーピン４５が段部６０ａを乗り越えないまま、後カム２６側で後レバーピン３９が段部８０ａを乗り越えるおそれがなく、点消火ボタン１５が消火位置に戻った状態でコンロバーナ１０の燃焼が開始されるようなことは生じない。
【００３４】
また、前カム２５が後退する際、後方へ突出するカム板部５３は、後カム溝７４の逃げ凹部７３の底面上を摺接するので、前カム２５の後退がカム板部５３を介して後カム２６の逃げ凹部７３にガイドされ、スムーズに移動できる。また、カム板部５３が後カム溝７４と干渉することはない。
さらに、前カム２５及び後カム２６の外周面には、前後方向にガイド突起５８，７７が形成されているので、メカボックス２４内でこじれたりすることなくスムーズに前後移動できる。
【００３５】
この点火押切位置では、マグネット電磁弁９３と共にメイン弁９５も開弁するため、流路開閉部２２のガス流路内に燃料ガスが供給される。よって、火力調整部２３を介してコンロバーナ１０へ燃料ガスが供給される。これと同時に、後カム２６の左アーム７１が基板スイッチ２９のレバー２９ａを、右アーム７２がイグナイタスイッチ３０のレバー３０ａをそれぞれ順番に押し込んで両スイッチ２９，３０をＯＮさせるため、回路基板からなる図示しないコントローラからマグネット電磁弁９３に通電されると共にイグナイタが作動して点火動作がなされる。
【００３６】
次に、点火押切位置から点消火ボタン１５の押し込みを解除すると、図９に示すように、前カム２５は、前コイルバネ９０の付勢により、係止面５２，５２がボックス本体２７のストッパ４１，４１に係止する前方位置に移動する。この前進の際、前カム２５の前側上部には凹部５５が形成されているので、メカボックス２４側の前ピン受け部４４とは干渉しない。
この前カム２５の前進と共に点消火ボタン１５も前進して、フロントパネル７の前面Ｌよりも大きく前方へ突出する。このとき前レバーピン４５の後端は、前点火戻り経路６１を通って前循環部５６から前直線部５７に移動するが、前点火戻り経路６１の終端には係止せず、やや前側（図６（Ａ）の位置Ｃ）に位置している。このとき、前点火戻り経路６１の底面は、前循環部５６の後端の手前までの上り傾斜が僅かであるため、前レバーピン４５の突っかかりが生じにくくなる。また、このように前点火戻り経路６１の傾斜を小さくしても、前消火押し込み経路６２の最深部６４と合流しているので、その手前に段部６１ａを形成できる。
また、後カム２６は、後コイルバネ９１の付勢により、後レバーピン３９の前端が後点火戻り経路８１を通って後循環部７５内を移動してその前側中央の終端（図６（Ｂ）の位置Ｃ）に係止することで前進が規制される。なお、後長孔４７の前縁には、後レバーピン３９の前端に軽係止する係止突部４７ａ（図３，８）が形成されて、後レバーピン３９が係止位置から不意に移動することを防止している。
【００３７】
この状態で、流路開閉部２２では、マグネット電磁弁９３は通電によって開弁保持されているので、弁軸９４は移動せず、メイン弁９５も開弁した状態となって燃料ガスの供給は継続される（燃焼位置）。また、後カム２６の左アーム７１は基板スイッチ２９のレバー２９ａを押し込んだ状態にあって基板スイッチ２９のＯＮを継続させ、右アーム７２はイグナイタスイッチ３０のレバー３０ａから離間してイグナイタスイッチ３０をＯＦＦさせる。
さらに、燃焼位置では、火力調整板１０５の歯１０９が中間筒１１０の歯部１１１と噛合するので、点消火ボタン１５を回転させれば、中間筒１１０と噛合する火力調整板１０５をボックス本体２７の上面で左右にスライドさせることができる。すると、螺旋溝１０６に案内されるガイドピン１０３を介して火力調整ニードル１０２が軸方向に移動するため、火力調整部２３でのガス流路の開口面積を変更してコンロバーナ１０の火力を調整することができる。逆に、燃焼位置以外の位置では、火力調整板１０５の歯１０９に中間筒１１０の歯部１１１が噛合しないので、点消火ボタン１５を回転させても火力調整板１０５はスライドせず、火力調整ニードル１０２は移動しないことになる。
【００３８】
そして、燃焼位置から点消火ボタン１５を押し込むと、図１０に示すように、前カム２５は後退して、前レバーピン４５の後端が前消火押し込み経路６２を移動し、前直線部５７から前循環部５６内を通り、段部６２ａを越えて当該経路の終端である前循環部５６の右側前端（図６（Ａ）の位置Ｄ）に係止することで押し込みが規制される（消火押切位置）。この前カム２５の押し込みにより、前側ロッド５１に押圧されて後カム２６も後退し、後レバーピン３９の前端は、後消火押し込み経路８２を移動して段部８２ａを越えるが（図６（Ｂ）の二点鎖線で示す位置Ｃ’）、終端である後循環部７５の左側前端には係止せず、その後側（図６（Ｂ）の位置Ｄ）に位置している。
このときも前カム２５が後退する際、カム板部５３が、後カム溝７４の逃げ凹部７３の底面上に再び重なって当該底面上を摺接するので、前カム２５の後退がカム板部５３を介して後カム２６の逃げ凹部７３にガイドされ、スムーズに移動できる。
また、前カム２５が前消火押し込み経路６２を移動する際、始端からは下り傾斜する前直線部５７を移動することになるので、押切初期における摺動抵抗が軽減され、操作感が軽くなる。特に、前消火押し込み経路６２における前直線部５７と前循環部５６とに跨がる屈曲部分の角度αを大きくしているので、操作感の一層の軽減に繋がる。
【００３９】
「燃焼位置から消火押切位置への前後レバーピンのストローク設定」
こうして点消火ボタン１５が消火押切位置に押し込まれる際、前カム２５の前側ロッド５１が後カム２６に当接するまで前カム２５が両カム２５，２６間の遊び分後退することで、前レバーピン４５の後端が位置Ｃから前方へ移動した位置をＣ’として、位置Ｃ’から消火時前側段部としての段部６２ａを越えた位置Ｄまで移動した場合の前後方向での前側ストローク（前レバーピン４５の中心間の移動距離）をＳ３とする。
一方、後レバーピン２５が位置Ｃから、後点火押し込み経路８２を移動する途中で消火時後側段部としての段部８２ａを越えた時点を位置Ｃ’として、位置Ｃから位置Ｃ’まで移動した際の前後方向での後側ストローク（後レバーピン３９の中心間の移動距離）をＳ４とすると、両ストロークの関係は、Ｓ３＞Ｓ４となっている。つまり、燃焼位置から消火押切位置へ押し込まれる際には、後消火押し込み経路８２を移動する後レバーピン３９が、前消火押し込み経路６２を移動する前レバーピン４５が段部６２ａを越えるタイミングよりも先に段部８２ａを越えることになる。
【００４０】
逆に言うと、後レバーピン３９が段部８２ａを越えない限り、前レバーピン４５も確実に段部６２ａを越えないことになるため、後レバーピン３９が段部８２ａを越える前の中途半端な位置で点消火ボタン１５から手を離して消火操作をやめた場合には、前後カム２５，２６はいずれも燃焼位置まで戻ることになる。よって、後カム２６側で後レバーピン３９が段部８２ａを乗り越えないまま、前カム２５側で前レバーピン４５が段部６２ａを乗り越えるおそれがなく、点消火ボタン１５が消火位置に戻った状態でコンロバーナ１０の燃焼が継続されるようなことは生じない。
【００４１】
この消火押切位置で点消火ボタン１５から手を離すと、前カム２５は、前コイルバネ９０の付勢により、前レバーピン４５の後端が前消火戻り経路６３の前循環部５６内を移動して、当該経路の終端である前循環部５６の前側中央に係止する図６（Ａ）の位置Ａに復帰する。後カム２６も、仕切板３１に当接すると共に、後レバーピン３９の前端が後消火戻り経路８３の後循環部７５から後直線部７６に移動する図６（Ａ）の位置Ａに復帰する。このときも後レバーピン３９は位置Ｄから位置Ａまで後カム溝７４に係止しないため、ヨレは生じない。
この後カム２６の前進により左アーム７１が基板スイッチ２９のレバー２９ａから離間して基板スイッチ２９をＯＦＦさせるため、コントローラはマグネット電磁弁９３への通電を停止してマグネット電磁弁９３を閉弁させる。これにより、流路開閉部２２では弁軸９４も前進してメイン弁９５を閉弁させるため、燃料ガスの供給が停止してコンロバーナ１０は消火する。
こうして前カム２５と後カム２６とが前進する際にも、ガイド突起５８，７７がメカボックス２４の内面を摺動することで前後方向の姿勢が維持されるため、スムーズに前進できる。
【００４２】
なお、上記ストロークＳ１＜Ｓ２の設定により、点火操作の際、前カム２５では前レバーピン４５が段差６０ａを越え、後カム２６では後レバーピン３９が段差８０ａを越えないタイミングで点消火ボタン１５から手を離すと、前カム２５では前レバーピン４５が位置Ｃまで達して点消火ボタン１５が燃焼位置に突出するにもかかわらず、後カム２６では後レバーピン３９が位置Ａに戻って消火位置のままとなる場合がある。
この状態で点消火ボタン１５を再び押し込み操作すると、燃焼位置から後退する前カム２５の前側ロッド５１が後カム２６に当接してそのまま後カム２６を消火位置から後退させ、前レバーピン４５の後端は位置Ｃから前消火押し込み経路６２を、後レバーピン３９の前端は位置Ａから後点火押し込み経路８０をそれぞれ相対移動することになる。
しかし、ここでは、後退した前カム２５の前側ロッド５１が消火位置の後カム２６に当接した時点での前レバーピン４５の位置（図６（Ａ）に示す位置Ｃ”）から、段部６２ａを越えて位置Ｄまで達する前後方向の第２の前側ストロークとしての前側ストロークＳ５が、後カム２６での後レバーピン３９が位置Ａから位置Ａ’まで達する前後方向のストロークＳ２よりも小さく設定されているので、点消火ボタン１５が一度消火押切位置まで押し込まれると、前カム２５は前レバーピン４５が位置Ａとなる消火位置に戻り、後カム２６は、後点火押し込み経路８０内で後レバーピン３９が再び位置Ａに戻って消火位置が維持される。つまり、点火操作の際に前後カム２５，２６の位置に燃焼位置と消火位置との食い違いが生じても、点消火ボタン１５の一度の押し込み操作で正常な状態に復帰できることになる。
【００４３】
同様に、上記ストロークＳ３＞Ｓ４の設定により、消火操作の際、後カム２６では後レバーピン３９が段差８２ａを越え、前カム２５では前レバーピン４５が段差６２ａを越えないタイミングで点消火ボタン１５から手を離すと、後カム２６では後レバーピン３９が位置Ａまで達して消火位置となるにもかかわらず、前カム２６では前レバーピン４５が位置Ｃに戻って燃焼位置のままとなる場合がある。
この状態で点消火ボタン１５を再び押し込み操作すると、燃焼位置から後退する前カム２５の前側ロッド５１が後カム２６に当接してそのまま後カム２６を消火位置から後退させ、前レバーピン４５の後端は位置Ｃから前消火押し込み経路６２を、後レバーピン３９の前端は位置Ａから後点火押し込み経路８０をそれぞれ相対移動することになる。
しかし、ここでは、ストロークＳ５＜Ｓ２となっているので、点消火ボタン１５が一度消火押切位置まで押し込まれると、前カム２５は前レバーピン４５が位置Ａとなる消火位置に戻り、後カム２６は、後点火押し込み経路８０内で後レバーピン３９が再び位置Ａに戻って消火位置が維持される。つまり、消火操作の際に前後カム２５，２６の位置に燃焼位置と消火位置との食い違いが生じても、点消火ボタン１５の一度の押し込み操作で正常な状態に復帰できることになる。
【００４４】
［消火位置から点火押切位置への前後レバーピンのストローク設定に係る発明の効果］
このように、上記形態のビルトインコンロ１によれば、消火位置から点消火ボタン１５が押し込み操作されて前カム２５が後退し、後カム２６に当接した際の前点火押し込み経路６０内での前レバーピン４５の挿入位置（図６（Ａ）の位置Ａ’）と、点火押切位置まで前カム２５が後退する際に前点火押し込み経路６０内で段部６０ａを越えた時点での前レバーピン４５の挿入位置（同図の位置Ａ”）との間の前後方向の前側ストロークＳ１よりも、消火位置における後点火押し込み経路８０内での後レバーピン３９の挿入位置（図６（Ｂ）の位置Ａ）と、点火押切位置まで後カム２６が後退する際に後点火押し込み経路８０内で段部８０ａを越えた時点での後レバーピン３９の挿入位置（同図の位置Ａ’）との間の前後方向の後側ストロークＳ２の方が大きく設定されていることで、消火位置から点火押切位置へ押し込まれる際には、前点火押し込み経路６０を移動する前レバーピン４５が、後点火押し込み経路８０を移動する後レバーピン３９よりも先に段部６０ａを越えることになり、その後前カム２５は確実に燃焼位置に移動して、点消火ボタン１５をフロントパネル７の前面Ｌから突出させることができる。よって、前後カム２５，２６等の寸法誤差等にかかわらず、点消火ボタン１５の押し込み操作に伴う前後カム２５，２６の燃焼位置を適正に保持することができる。
また、前レバーピン４５が段部６０ａを越える前の中途半端な位置で点消火ボタン１５から手を離して点火操作をやめた場合でも、前後カム２５，２６はいずれも消火位置まで戻ることになるため、点消火ボタン１５が消火位置に戻った状態でコンロバーナ１０の燃焼が開始されるようなことは生じない。
【００４５】
特にここでは、燃焼位置から点消火ボタン１５が押し込み操作されて前カム２５が後退し、後カム２６に当接した際の前消火押し込み経路６２内での前レバーピン４５の挿入位置（図６（Ａ）の位置Ｃ”）と、消火押切位置まで前カム２５が後退する際に前消火押し込み経路６２内で段部６２ａを越えた時点での前レバーピン４５の挿入位置（同図の位置Ｄ）との間の前後方向の前側ストロークＳ５を、後側ストロークＳ２よりも小さく設定しているので、点火操作の際の点消火ボタン１５の中途半端な押し込み操作によって前後カム２５，２６の位置に燃焼位置と消火位置との食い違いが生じても、点消火ボタン１５の一度の押し込み操作で正常な状態に復帰できる。
【００４６】
［燃焼位置から消火押切位置への前後レバーピンのストローク設定に係る発明の効果］
このように、上記形態のビルトインコンロ１によれば、燃焼位置から点消火ボタン１５が押し込み操作されて前カム２５が後退し、後カム２６に当接した際の前消火押し込み経路６２内での前レバーピン４５の挿入位置（図６（Ａ）の位置Ｃ’）と、消火押切位置まで前カム２５が後退する際に前消火押し込み経路６２内で段部６２ａを越えた時点での前レバーピン４５の挿入位置（同図の位置Ｄ）との間の前後方向の前側ストロークＳ３よりも、燃焼位置における後消火押し込み経路８２内での後レバーピン３９の挿入位置（図６（Ｂ）の位置Ｃ）と、消火押切位置まで後カム２６が後退する際に後消火押し込み経路８２内で段部８２ａを越えた時点での後レバーピン３９の挿入位置（同図の位置Ｃ’）との間の前後方向の後側ストロークＳ４の方が小さく設定されていることで、燃焼位置から消火押切位置へ押し込まれる際には、後消火押し込み経路８２を移動する後レバーピン３９が、前消火押し込み経路６２を移動する前レバーピン４５よりも先に段部８２ａを越えることになり、その後、後カム２６を確実に消火位置に移動させることができる。よって、前後カム２５，２６等の寸法誤差等にかかわらず、点消火ボタン１５の押し込み操作に伴う前後カム２５，２６の消火位置を適正に保持することができ、消火操作後は後カム２６によって基板スイッチ２９をＯＦＦさせて確実にコンロバーナ１０を消火させることができる。
また、後レバーピン３９が段部８２ａを越える前の中途半端な位置で点消火ボタン１５から手を離して消火操作をやめた場合でも、前後カム２５，２６はいずれも燃焼位置まで戻ることになるため、点消火ボタン１５が消火位置に戻った状態でコンロバーナ１０の燃焼が継続されるようなことは生じない。
【００４７】
特にここでは、燃焼位置から点消火ボタン１５が押し込み操作されて前カム２５が後退し、後カム２６に当接した際の前消火押し込み経路６２内での前レバーピン４５の挿入位置（図６（Ａ）の位置Ｃ”）と、消火押切位置まで前カム２５が後退する際に前消火押し込み経路６２内で段部６２ａを越えた時点での前レバーピン４５の挿入位置（同図の位置Ｄ）との間の前後方向の前側ストロークＳ５を、後側ストロークＳ２よりも小さく設定しているので、消火操作の際に前後カム２５，２６の位置に燃焼位置と消火位置との食い違いが生じても、点消火ボタン１５の一度の押し込み操作で正常な状態に復帰できる。
【００４８】
［前消火押し込み経路に係る発明の効果］
このように、上記形態のビルトインコンロ１によれば、前カム２５の前カム溝５４には、前カム２５が燃焼位置から消火押切位置まで後退する際に、前レバーピン４５が相対移動する前消火押し込み経路６２が形成されて、前消火押し込み経路６２の始端を含む上流側の底面には、下流側へ行くに従って徐々に深くなる下り勾配が付与されているので、点消火ボタン１５の消火操作時に前レバーピン４５が前消火押し込み経路６２を相対移動する際の摺動抵抗が低減される。よって、消火操作の際の操作感が軽くなって使い勝手が良好となる。
【００４９】
特にここでは、前消火押し込み経路６２における前直線部５７と前循環部５６とに跨がる屈曲部分の角度αを、前点火戻り経路６１における前直線部５７と前循環部５６とに跨がる屈曲部分の角度βよりも大きくしているので、前レバーピン４５が直線的に相対移動でき、消火操作時の操作感を一層軽くすることができる。
また、前消火押し込み経路６２の底面は、中間部位が最深部６４となり、そこから終端へ行くに従って徐々に浅くなる上り勾配が付与されて、最深部６４で前点火戻り経路６１と合流しているので、最深部６４との間に段部６１ａを確実に形成でき、前点火戻り経路６１の上り勾配の角度を小さくすることができる。よって、前点火戻り経路６１内での前レバーピン４５の突っかかりを好適に防止可能となる。
【００５０】
なお、上記形態では、前消火押し込み経路の中間部位までの底面に下り勾配を付与しているが、少なくとも始端を含む底面であれば、中間部位を越えて下り勾配としてもよいし、経路全体を下り勾配としてもよい。
また、前消火押し込み経路の屈曲部分の角度は、前点火戻り経路の屈曲部分の角度と同じにすることもできる。
さらに、前点火戻り経路は、上り勾配でなく平坦な底面とすることも可能である。
そして、上記形態では、消火押し込み経路の底面に下り勾配を付与する発明を前カムにのみ適用しているが、後カム溝の形状によっては後カムにも適用して差し支えない。但し、本発明は、前後２つのカムを備えるカム機構部に限定するものではなく、１つのカムのみを備えるカム機構部であっても適用可能である。
【００５１】
［後点火押し込み経路に係る発明の効果］
このように、上記形態のビルトインコンロ１によれば、後カム２６の後カム溝７４には、後点火押し込み経路８０が形成されて、その直線部分８５の底面には、点火押切位置へ行くに従って徐々に浅くなる上り勾配が付与される一方、傾斜部分８４の底面は、平坦面となっているので、点消火ボタン１５の点火操作時に後レバーピン３９が後点火押し込み経路８０を相対移動する際の摺動抵抗が低減されて後レバーピン３９の突っかかりも生じにくくなる。よって、点火操作の際の操作感が軽くなって使い勝手が良好となる。また、点火操作時に突っかかりが生じにくい直線部分８５には上り勾配を設けているため、段部８０ａを形成するための厚みを確保することができる。
【００５２】
なお、上記形態では、後点火押し込み経路の傾斜部分の底面を平坦面としているが、直線部分より傾斜の小さい上り勾配としたり、下り勾配としたりしてもよい。
また、上記形態では、点火押し込み経路の直線部分の底面に上り勾配を付与して傾斜部分の底面を平坦面等とする発明を後カムにのみ適用しているが、前カム溝の形状によっては前カムにも適用して差し支えない。但し、本発明は、前後２つのカムを備えるカム機構部に限定するものではなく、１つのカムのみを備えるカム機構部であっても適用可能である。
【００５３】
その他、各発明に共通して、カム機構部の２つのカムの形状や各カム溝の形状は上記形態に限らず、適宜変更可能で、例えば重合部となるカム板部を後カムに設けて前カムに対して摺接させることもできるし、カム溝のない重合部を設けることもできる。前後レバーピンや前後長孔の形状や位置も変更可能である。
また、ビルトインコンロの形態も上記説明に限らず、コンロ部が２口のものであってもよいし、ビルトインコンロに限らず、テーブルコンロ等の他のガス調理器具においても各発明は適用可能である。従って、グリル部等の他のプッシュスイッチ機構のカムに対しても各発明は適用できる。
【符号の説明】
【００５４】
１・・ビルトインコンロ、２・・器体、３・・コンロ部、４・・グリル部、５・・本体、７・・フロントパネル、１０・・コンロバーナ、１５・・点消火ボタン、２０・・プッシュスイッチ機構、２１・・カム機構部、２２・・流路開閉部、２３・・火力調整部、２４・メカボックス、２５・・前カム、２６・・後カム、２７・・ボックス本体、２９・・基板スイッチ、３０・・イグナイタスイッチ、３１・・仕切板、３９・・後レバーピン、４５・・前レバーピン、４７・・後長孔、４８・・前長孔、５０・・連結ロッド、５１・・前側ロッド、５３・・カム板部、５４・・前カム溝、５６・・前循環部、５７・・前直線部、５８，７７・・ガイド突起、６０・・前点火押し込み経路、６１・・前点火戻り経路、６２・・前消火押し込み経路、６３・・前消火戻り経路、６４・・最深部、６５・・右側部分、７０・・後側ロッド、７４・・後カム溝、７５・・後循環部、７６・・後直線部、８０・・後点火押し込み経路、８１・・後点火戻り経路、８２・・後消火押し込み経路、８３・・後消火戻り経路、８４・・傾斜部分、８５・・直線部分、９０・・前コイルバネ、９１・・後コイルバネ、９２・・ガス入口、９３・・マグネット電磁弁、９４・・弁軸、９５・・メイン弁、１００・・ガス出口、Ｌ・・フロントパネルの前面、Ｓ１，Ｓ３，Ｓ５・・前側ストローク、Ｓ２，Ｓ４・・後側ストローク。
【図１】
2019044985.tif 000003
【図２】
2019044985.tif 000004
【図３】
2019044985.tif 000005
【図４】
2019044985.tif 000006
【図５】
2019044985.tif 000007
【図６】
2019044985.tif 000008
【図７】
2019044985.tif 000009
【図８】
2019044985.tif 000010
【図９】
2019044985.tif 000011
【図１０】
2019044985.tif 000012